(57)【要約】【課題】ある駅の近くでイベントがあるときなどにその駅の通過人員数をタイムリーに収集できるようにする。【解決手段】自動改札機で発生した所定の入出場データを受信し、その受信したデータを所定の通過人員帳票に対応した形に生成して記憶するデータ集計機と、そのデータ集計機に記憶されているデータを必要に応じて受信し、その受信したデータに基づいて所定の通過人員帳票を作成するセンタサーバと、からなる。【選択図】      図３
2004272345.tif 000002
【特許請求の範囲】
【請求項１】
自動改札機で発生した所定の入出場データを受信し、その受信したデータを所定の通過人員帳票に対応した形に生成して記憶するデータ集計機と、
前記データ集計機に記憶されているデータを必要に応じて受信し、その受信したデータに基づいて所定の通過人員帳票を作成するセンタサーバと、
からなることを特徴とする通過人員帳票作成装置。
【請求項２】
請求項１に記載の通過人員帳票装置において、センタサーバは、データ集計機からのデータを所定の通過人員帳票に対応した形で記憶するものであることを特徴とする通過人員帳票作成装置。
【請求項３】
請求項１または請求項２に記載の通過人員帳票作成装置において、センタサーバは、定時にデータ集計機からデータを受信するものであることを特徴とする通過人員帳票作成装置。
【発明の詳細な説明】
【０００１】
【発明の属する技術分野】
本発明は、自動改札機を通過した利用者数の集計結果を帳票に作成するための通過人員帳票作成装置に関する。
【０００２】
【従来の技術】
従来、鉄道の各駅に設置されている自動改札機は、監視盤を介して各駅の事務室等の所定の場所に設けられている駅務機器制御装置、いわゆる駅制とよばれるデータ集計機に接続されている。また、このデータ集計機は、通信回線を介して鉄道会社の本社等の所定の中央に設けられているホストコンピュータからなるセンタサーバに接続されている（特許文献１参照）。そして、このセンタサーバでは、各駅のデータ集計機を介して収集した通過人員数、すなわち、自動改札機を入場（乗車）のために、又は出場（降車）のために通過した利用者（旅客）数の集計結果を帳票の形に作成している。したがって、鉄道会社では、そのセンタサーバで作成された通過人員帳票に基づいて各駅の利用者数（乗降客数）を把握し、列車の運行管理や駅員の配置等に利用している。
【０００３】
【特許文献１】
特開２００２−１５０３３４号公報
【０００４】
【発明が解決しようとする課題】
しかしながら、上記従来の通過人員帳票作成装置は、通過人員数の長期的な把握が可能なように構成されているため、短期的な、つまり臨時的，速報的な通過人員数の把握に不向きで、このため、臨時的，速報的な通過人数の帳票を作成しようとすると、長時間要してしまうという欠点があった。
【０００５】
すなわち、従来の通過人員帳票装置作成装置は、終電後、又は始発電車前に各駅のデータ集計機から収集したデータに基づいてセンタサーバで帳票化されて長時間に亘る各駅毎の乗降人員数が把握されるようにプログラムが構成されていて、臨時的，速報的な乗降人員数の把握を行おうとすると、駅からのデータ取込み等に時間を要して通過人員帳票の作成に長時間ようするという欠点があった。したがって、例えば、ある駅の周辺において大きなイベントがあり、その駅の乗降客数を早急に把握して駅員の増員の手配や列車の増発を行おうとしても長時間要してしまうという欠点があった。
【０００６】
そこで、本発明は、上記欠点を解決するためになされたものであって、その目的は、臨時的，速報的な乗降人員数の帳票化を短時間で可能とする通過人員帳票作成装置を提供することにある。
【０００７】
【課題を解決するための手段】
本発明の通過人員帳票作成装置は、上記目的を達成するために、自動改札機で発生した所定の入出場データを受信し、その受信したデータを所定の通過人員帳票に対応した形に生成して記憶するデータ集計機と、そのデータ集計機に記憶されているデータを必要に応じて受信し、その受信したデータに基づいて所定の通過人員帳票を作成するセンタサーバと、からなることを特徴としている。
本発明の請求項２に記載の通過人員帳票作成装置は、センタサーバは、データ集計機からのデータを所定の通過人員帳票に対応した形で記憶するものであることを特徴としている。
本発明の請求項３に記載の通過人員帳票作成装置は、センタサーバは、定時にデータ集計機からデータを受信するものであることを特徴としている。
【０００８】
【発明の実施の形態】
以下、本発明の形態を図面に基づいて説明する。図１は、一実施の形態に係る通過人員帳票作成装置の概略構成図である。図１中、Ｇ，Ｇ…は、ある一つの鉄道会社の一つの駅である甲駅に設置された自動改札機である。この甲駅には複数の改札口が設けられていて、各改札口（図示の例では、中央口及び南口が示されている。）には、複数の自動改札機Ｇが設けられているが、ここでは、図面を簡略化するために、各改札口に１台の自動改札機Ｇしか示されていない。また、各改札口のに設けられている自動改札機Ｇ，Ｇ…は、各改札口の係員室にそれぞれ設けられている監視盤１，１…に接続されている。
【０００９】
各改札口における自動改札機Ｇ及び監視盤１の構成は同一であるので、中央口の自動改札機Ｇ及び監視盤１を例に説明すると、自動改札機Ｇは、周知の自動改札機であり、磁気券からなる普通乗車券や定期券等の乗車券類のみを処理する投入型とすることもでき、又は、無線機能を有するＩＣカードからなる非接触券のみを処理する非接触型とすることもでき、あるいは、磁気券からなる乗車券類及び非接触券の両方を処理できる兼用型とすることもできる。以下、説明を簡単にするために、上述の乗車券類及び非接触券を含めて乗車券とし、自動改札機Ｇを投入型として説明する。
【００１０】
自動改札機Ｇは、周知の自動改札機と同様に、自動改札機Ｇに乗車券が投入されたときにその乗車券に記録されているデータが読取られ、その読取られたデータを基に所定の入出場（入場又は出場を意味している。）の演算処理が行われるように構成されている。そして、その演算処理の結果、入出場を許可できるときはドアが開かれて（自動改札機Ｇがノーマルオープン型のときはそのまま）、利用者の改札通路の通過が許可され、その演算処理の結果、入出場を許可できないときはドアが閉じられて、利用者の改札通路の通過が阻止されるように構成されている。そして、この自動改札機Ｇは、入出場を許可したときにその入出場の回数に係る所定のデータを監視盤１に送信することができるように構成されている。
【００１１】
監視盤１は、周知の監視盤と同様に構成されていて、監視盤１の本体を統括的に制御するＣＰＵを中心に形成された演算部１ａと、タッチパネル等からなる表示・操作部１ｂと、所定のデータを記憶しておくことのできるメモリ１ｃと、自動改札機Ｇ及び後述するデータ集計機２と通信を行うための通信制御部１ｄとを有している。そして、この監視盤１は、周知の監視盤と同様に、自動改札機Ｇの稼動状態を監視し、必要に応じて遠隔的にリセット等の所定の処理ができるように構成されている。また、この監視盤１のメモリ１ｃには、自動改札機Ｇが入出場を許可したときのデータ、すなわち、入場（乗車）を許可したときの回数のデータ及び出場（降車）を許可したときの回数のデータを記憶できるように構成されている。
【００１２】
データ集計機２は、駅務機器制御装置、いわゆる駅制とよばれるもので、パーソナルコンピュータ（パソコン）を中心に構成されていて、通常、駅の事務室に設置されており、通信回線Ｌ１  を介して各改札口にそれぞれ設置されている監視盤１，１…と接続されている。なお、このデータ集計機２は、甲駅に設置されている図示しない自動券売機や自動精算機等の駅務機器とも接続されていて、自動券売機の売上の集計処理等の管理処理も行えるように構成されているが、本発明の説明に直接関係しないので省略されている。
【００１３】
このデータ集計機２は、周知のデータ集計機（駅制）と同様に、データ集計機２の本体を統括的に制御するＣＰＵを中心に形成された演算部２ａと、タッチパネル等からなる表示・操作部２ｂと、所定のデータを記憶しておくことのできるメモリ２ｃと、各監視盤１，１…及び後述するセンタサーバ３と通信を行うための通信制御部２ａとを有している。
【００１４】
このデータ集計機２のメモリ２ｃは、各監視盤１，１…から所定時間毎（例えば３分間毎）に送信されてくる入出場に係るデータ、すなわち、自動改札機Ｇの通過人員に係るデータをセンタサーバ３が作成する通過人員帳票の形で出力するときのひな形に合わせて記憶できるように構成されている。図２では、その通過人員帳票のフォーマットの一例である。この図２に示されるフォーマットでは、甲駅の１時間毎の乗車人数及び降車人数の形で集計処理されている。
【００１５】
ホストコンピュータからなるサーバ３は、甲駅に係る鉄道会社の本社等の所定の中央に設けられている。そして、このセンタサーバ３は、甲駅に設けられているデータ集計機２及び図示しない他の駅のデータ集計機と通信回線Ｌ２  を介して接続されている。この通信回線Ｌ２  は、専用回線、公衆回線網又はインターネット等の所定の回線とすることができる。
【００１６】
このセンタサーバ３は、周知のセンタサーバと同様に、各駅の駅務機器を管理制御することができるように構成されている。すなわち、このセンタサーバ３は、各駅の乗降者数の集計処理以外に各駅の乗車券の売上の集計処理等が行えるように構成されている。
【００１７】
以下、図３のフローチャートを用いて制御動作を説明する。今、甲駅の近くで大きなイベントが開催されており、その甲駅の乗降客数が通常と大きく変わることが予想されているものとする。そして、本社では、その乗降客数に対応した何らかの対策を講じる必要があると考えられている場合、本社のセンターサーバ３は、係員によって甲駅の現在の乗降客数を要求する臨時通過人員帳票作成モードとされる（ステップ１００否定、ステップ１０２肯定、ステップ１０４。以下、ステップを「Ｓ」とする。）。なお、このセンタサーバ３では、定時（例えば、終電後又は始発電車前）に、甲駅及びその他の図示しない駅のデータ集計機２から通過人員に係るデータが取込まれて通常の通過人員帳票が作成される。
【００１８】
センタサーバ３が臨時的通過人員帳票作成モードに設定され、甲駅を特定する所定の信号が入力されると、その甲駅のデータ集計機２のメモリ２ｃに記憶されているデータがセンタサーバ３に取込まれる。このメモリ２ｃに記憶されている通過人員に係るデータ形態は、センタサーバ３が通過人員帳票を作成するときに合致した形である。したがって、センタサーバ３が甲駅のデータ集計機２から通過人員に係るデータを受信し、その受信したデータをセンタサーバ３の図示しないメモリに順次記憶させるだけで、そのメモリに記憶されたデータを基に速やかに甲駅の通過人員帳票を作成できる。このため、センタサーバ３では、甲駅の通過人員帳票を短時間で作成することができる（Ｓ１０８肯定、Ｓ１１０）。この通過人員帳票は、センタサーバ３に接続されているプリンタ（図示せず）を介してプリントアウトの形で、又は、そのセンタサーバ３の図示しない表示画面に表示させることもできる（本発明では、表示画面への表示も通過自認帳票の作成に含めている。）。
【００１９】
上述の説明は、臨時的，速報的な通過人員帳票の作成の対象駅は、甲駅としたが、図示しない他の駅のものであってもよいことはもちろんである。
【００２０】
【発明の効果】
本発明の請求項１に記載の通過人員作成装置は、自動改札機で発生した所定の入出場データを受信し、その受信したデータを所定の通過人員帳票に対応した形に生成して記憶するデータ集計機と、そのデータ集計機に記憶されているデータを必要に応じて受信し、その受信したデータに基づいて所定の通過人員帳票を作成するセンタサーバとからなるので、短時間で通過人員の帳票を作成することができる。
本発明の請求項２に記載の通過人員作成装置は、センタサーバは、データ集計機からのデータを所定の通過人員帳票に対応した形で記憶しているので、より短時間で通過人員の帳票作成することができる。
本発明の請求項３に記載の通過人員作成装置は、センタサーバは、定時にデータ集計機からデータを受信するので、通常の通過人員帳票も短時間で作成することができる。
【図面の簡単な説明】
【図１】本発明の一実施の形態に係る通過人員帳票作成装置の概略構成図である。
【図２】メモリのフォーマットの一例である。
【図３】制御動作を示すフローチャートである。
【符号の説明】
１      監視盤
２      データ集計機
３      センタサーバ
Ｇ      自動改札機
【図１】
2004272345.tif 000003
【図２】
2004272345.tif 000004
【図３】
2004272345.tif 000005